(57)【要約】【課題】  枠体を取水管に取り付けることが容易で、取水部構造を組み立てる手数が減少し、取水部構造のコストダウンを図ることができる取水管の取水部構造を提供する。【解決手段】  取水管１０の先端部の周囲に、この取水管１０の取水口１０ａを水底１４から離した状態で保持する枠体１２が取り付けられたものであって、枠体１２が中心筒体１６とこの周りに枠部材を組み合わせて設けられた囲い枠１８とから構成され、枠体１２がその中心軸線を通る面で二分割され、二分割された半割枠体を半割筒体で取水管１０の先端部を挟み付けて締め付けることにより、取水管１０に取り付けられた取水管１０の取水部構造において、枠体１２を構成する中心筒体１６が長手方向に２個所で３個の中心筒体に分割され、分割された３個の中心筒体１６間に取水管１０の先端部の曲がりを矯正する２個の間隙１７が形成されている。【選択図】        図１
2006316518.tif 000002
【特許請求の範囲】
【請求項１】
取水管の先端部の周囲に、この取水管の取水口を水底から離した状態で保持する枠体が取り付けられたものであって、枠体が中心筒体とこの周りに枠部材を組み合わせて設けられた囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、枠体を構成する中心筒体が長手方向に１乃至複数個所で分割され、分割された複数の中心筒体間に取水管の先端部の曲がりを矯正する間隙が形成されていることを特徴とする取水管の取水部構造。
【請求項２】
取水管の先端部の周囲に、この取水管の取水口を水底から離した状態で保持する枠体が取り付けられたものであって、枠体が中心筒体とこの周りに枠部材を組み合わせて設けられた囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、枠体を構成する中心筒体の長手方向の１乃至複数個所に、取水管の先端部の曲がりを矯正する窓が形成されていることを特徴とする取水管の取水部構造。
【発明の詳細な説明】
【技術分野】
【０００１】
本発明は、主に海水等を取水するのに用いる取水管の取水部構造に関するものである。
【背景技術】
【０００２】
海水や湖水等の取水には一般に、硬質ポリエチレン管の外側に鉄線鎧装の施された取水管が使用されている。取水管はその先端が所要の深さの水底（海底、湖底等を含む）に位置するように布設されるが、先端の取水口が水底に着底していると、水底の砂などを吸い込んでしまうため、取水管の先端部には、取水管の取水口を水底から離した状態に保持する枠体が取り付けられている。従来の枠体は、中心に取水管の先端部を挿入する中心筒体を有し、この筒体の周りに金属パイプなどの枠部材を溶接等して多角錐台の形をした囲い枠が設けられたものである。取水管は外径が数１０ｃｍというような太いものであり、枠体は例えば長さが３ｍ、先端側の対辺距離が約３．５ｍというような大型のものである。
【０００３】
このような取水管の取水部は、取水管の先端部を枠体の中心筒体に挿入する構造であるため、長尺で太くて剛性の高い取水管の先端部を、大型の枠体の中心筒体に直接挿入することは困難である。そこで、短尺の取水管と管継ぎ手を別に用意し、短尺の取水管を枠体に挿入固定した後に、短尺の取水管を長尺の取水管の先端に管継ぎ手で接続する構造としていたが、取水管用の管継ぎ手は鎧装鉄線の引留部などを有し、構造的に複雑で、組立に手間がかかると共に、コスト高になるという問題がある。
【０００４】
このような問題を解決するために、図７乃至図１０に示すような構成の取水管の取水部構造が提案されている。この取水部構造は、取水管１の先端部の周囲に、この取水管１の取水口１ａを水底３から離した状態で保持する枠体２が取り付けられたものである。この枠体２は中心筒体４と、この周りに枠部材を組み合わせて設けられた囲い枠５とから構成されている。枠体２はその中心軸線を通る面（Ａ−Ａ面）で半割枠体２Ａ、２Ｂに二分割され、二分割された半割枠体２Ａ、２Ｂを半割筒体４Ａ、４Ｂで取水管１の先端部を挟み付けて締め付けることにより、取水管１に取り付けられる。
【０００５】
取水管１は、図１０に示すように、硬質ポリエチレン管６の外側に複数の鉄線７による鎧装が施されたものである。取水管１の先端部の外周には、鉄線７を外側に折り返して、これを締め付け固定する端末金具８が設けられている。そして、枠体２は半割筒体４Ａ、４Ｂで端末金具８を挟み付け、端末金具８と半割筒体４Ａ、４Ｂとを軸線方向にずれないようにボルト９等で固定して、取水管１に取り付けられる（特許文献１参照）。
【０００６】
【特許文献１】特開２００３−６４７３２号公報
【発明の開示】
【発明が解決しようとする課題】
【０００７】
取水管の先端部は、取水管１の自重や曲がり癖、端末金具８の重み等により曲がりが生じ易い。このため、従来の取水部構造は、枠体２を取水管１に取り付ける際、取水管１の先端部が、図１０に示すように、枠体２の中心筒体４に対して傾斜し、枠体２を取水管１に取り付けることが容易でなく、取水部構造を組み立てる手数が増大し、取水部構造のコストが高くなるという問題があった。
【０００８】
本発明の目的は、上記の問題を解決し、枠体を取水管に取り付けることが容易で、取水部構造を組み立てる手数が減少し、取水部構造のコストダウンを図ることができる取水管の取水部構造を提供することにある。
【課題を解決するための手段】
【０００９】
上記目的を達成するために、本発明の請求項１に記載された発明は、取水管の先端部の周囲に、この取水管の取水口を水底から離した状態で保持する枠体が取り付けられたものであって、枠体が中心筒体とこの周りに枠部材を組み合わせて設けられた囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、枠体を構成する中心筒体が長手方向に１乃至複数個所で分割され、分割された複数の中心筒体間に取水管の先端部の曲がりを矯正する間隙が形成されていることを特徴とするものである。
【００１０】
本発明の請求項２に記載された発明は、取水管の先端部の周囲に、この取水管の取水口を水底から離した状態で保持する枠体が取り付けられたものであって、枠体が中心筒体とこの周りに枠部材を組み合わせて設けられた囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、枠体を構成する中心筒体の長手方向の１乃至複数個所に、取水管の先端部の曲がりを矯正する窓が形成されていることを特徴とするものである。
【発明の効果】
【００１１】
本発明の請求項１記載の取水管の取水部構造によると、枠体を構成する中心筒体が長手方向に１乃至複数個所で分割され、分割された複数の中心筒体間に取水管の先端部の曲がりを矯正する間隙が形成されているので、その間隙を通して、取水管の先端部に、その曲がりを矯正する方向の力を作用させることができる。その結果、取水管の先端部は、その曲がりが矯正され、枠体の中心筒体に対する傾斜がなくなってほぼ平行になるので、枠体を取水管に容易に取り付けることができ、取水部構造を組み立てる手数が減少して、取水部構造のコストダウンを図ることができる。
【００１２】
本発明の請求項２記載の取水管の取水部構造によると、枠体を構成する中心筒体の長手方向の１乃至複数個所に、取水管の先端部の曲がりを矯正する窓が形成されているので、その窓を通して、取水管の先端部に、その曲がりを矯正する方向の力を作用させることができる。その結果、取水管の先端部は、その曲がりが矯正され、枠体の中心筒体に対する傾斜がなくなってほぼ平行になるので、枠体を取水管に容易に取り付けることができ、取水部構造を組み立てる手数が減少して、取水部構造のコストダウンを図ることができる。
【発明を実施するための最良の形態】
【００１３】
次に、本発明の実施形態を図面を参照しながら詳細に説明する。図１は本発明に係る取水管の取水部構造の第１実施形態を示す一部切開側面図、図２は図１の取水部構造の正面図、図３は図１の取水部構造において、枠体を取水管に取り付ける前の状態を示す正面図、図４は図１の取水部構造において、枠体が取水管の先端部に取り付けられた状態の先端寄りの部分を拡大して示す一部切開側面図である。
【００１４】
本実施形態の取水部構造は、図１乃至図３に示すように、取水管１０の先端部の周囲に、この取水管１０の取水口１０ａを水底１４から離した状態で保持する枠体１２が取り付けられたものである。
【００１５】
枠体１２は、取水管１０の先端部外周に取り付けられる中心筒体１６と、この中心筒体１６の周りに金属パイプ等の枠部材を溶接等で接合することにより、多角錐台又は円錐台（図示の例は正六角錐台）に組み合わせて設けられた囲い枠１８とから構成されている。この枠体１２は、多角錘台の外周傾斜面が図１のように取水管１０の先端に向けて広がるように取水管１０の先端部に取り付けられる。このようにすると、枠体１２の外周の六つ平面のうち何れか一つの平面が水底１４に着底することで、取水管１０の最先端の取水口１０ａが水底１４から離れた状態に保持されることになる。
【００１６】
枠体１２を構成する中心筒体１６は、図１に示すように、長手方向に所定間隔を隔てた２個所で、３個の中心筒体にその中心軸線に垂直な面で分割され、分割された３個の中心筒体１６間に取水管１０の先端部の曲がりを矯正する２個の間隙（スペース）１７が形成されている。なお、中心筒体１６は、図示省略するが、長手方向に１個所又は３個所以上の複数個所で分割されるようにしてもよい。
【００１７】
枠体１２は、その中心軸線を通る面（Ａ−Ａ面）で半割枠体２Ａ、２Ｂ及び半割筒体１６Ａ、１６Ｂに二分割され、二分割された半割枠体２Ａ、２Ｂ及び半割筒体１６Ａ、１６Ｂの相手方と互いに突き合わされる部分には、それぞれ結合用のフランジ２０が取り付けられている。枠体１２は、同じく二分割された３個の中心筒体１６の各半割筒体１６Ａ、１６Ｂで取水管１０の先端部を３個所で挟み付け、各部で対向するフランジ２０をボルトナットで締め付けることにより、図１及び図２に示すように取水管１０の先端部に取り付けられ、一体の枠体１２が構成される。
【００１８】
取水管１０は、図４に示すように、硬質ポリエチレン管２２の外側に複数の鉄線２４による鎧装が施されたものである。取水管１０の先端部の外周には、鉄線２４を外側に折り返して、これを締め付け固定する端末金具２５が設けられている。鉄線２４を折り返すことにより露出された硬質ポリエチレン管２２の最先端は、端末金具２５の先端より先に突出させてある。
【００１９】
端末金具２５は、図４に示すように、外側に折り返された鉄線２４を締付け固定する締付け金具２６と、締付け金具２６の先端側に接続されたパッキン受け金具２８と、パッキン受け金具２８に挿着されたパッキン３０を押えるパッキン押え金具３２とを備えている。端末金具２５の締付け金具２６、パッキン受け金具２８及びパッキン押え金具３２は最大外径が同じになるように形成されており、枠体１２の半割筒体１６Ａ、１６Ｂは端末金具２５を挟み付けるようになっている。また、端末金具２５のパッキン押え金具３２と中心筒体１６（半割筒体１６Ａ、１６Ｂ）とはボルト等の締付け部材３４その他の固定手段により、軸線方向にずれないように固定されている。
【００２０】
なお、図１において、３６は枠体１２の最先端側（取水口１０ａに最も近い側）に位置する中心筒体１６の取水口１０ａ寄りの位置に取り付けられた吊り金具である。取水管１０の先端部に取り付けられた枠体１２は、この吊り金具３６に接続したワイヤー（図示省略）に吊り下げられて、水底の所定の位置に設置される。また、取水管１０の硬質ポリエチレン管２２の最先端は、上記のように取水管１０の先端部に枠体１２が取り付けられた状態で、枠体１２の先端より先に突出している。このような構造にすると、硬質ポリエチレン管２２の先端が直接水中に突出するので、金属製の取水口に比べ、取水口１０ａに貝やプランクトン等の異物が付着しにくく、また錆が発生しないという利点がある。
【００２１】
本実施形態の取水部構造では、枠体１２を取水管１０の先端部の周囲に取り付けて組み立てる際、取水管１０の先端部が、取水管１０の自重や曲がり癖、端末金具２５の重み等により、図１０に示すように曲がって、枠体１２の中心筒体１６に対して傾斜する場合には、例えば、下記のような方法で取水管１０の曲がりを矯正する。
【００２２】
即ち、図５に示すように、取水管１０の曲がりが生じた先端部の周囲に、二分割された半割枠体１２Ａ、１２Ｂを対向配置して枠体１２を仮合体する。次に、枠体１２の３個の中心筒体１６間に形成された２個の間隙１７にそれぞれ引張ワイヤ３８を通して、取水管１０の曲がりが生じた先端部に結わえるか、掛け回す等して係留する。一方、取水管１０の最先端（取水口１０ａ）部分にも別の引張ワイヤ３９を結わえるか、掛け回す等して係留する。次に、２本の引張ワイヤ３８を矢印Ａ方向に、１本の引張ワイヤ３９を矢印Ａ方向と１８０度向きが異なる矢印Ｂ方向に同時に引張って、取水管１０の先端部における引張ワイヤ３８の係留点と最先端部分の引張ワイヤ３９の係留点間における取水管１０に、その先端部の曲がりを矯正する方向の偶力を作用させる。これにより、取水管１０の先端部はその曲がりが矯正されて、枠体１２の中心筒体１６に対する傾斜がなくなり、ほぼ平行状態になるので、枠体１２を構成する半割枠体１２Ａ、１２Ｂの合体、締め付け、中心筒体１６を構成する半割筒体１６Ａ、１６Ｂによる端末金具２５の挟み付け動作を手際よく行うことができる。
【００２３】
なお、引張ワイヤ３９を取水管１０に係留させる部分は、必ずしも取水管１０の最先端部分である必要がなく、引張ワイヤ３８の係留点よりも取水管先端寄り部分であればよい。引張ワイヤ３９の係留点が前記のように取水管１０の最先端部分にあると、それ以外の部分にあるよりも偶力が大きくなって、取水管１０の曲がりを矯正し易くなるので好ましい。また、引張ワイヤ３９を係留させる代わりに、前記取水管先端寄り部分（最先端部分を含む）で取水管１０を治具その他の手段で移動しないように把持、固定するようにしてもよい。そのほかに、取水管１０の先端部の曲がりを矯正する方法としては、その先端部を引張ワイヤ３８で引張る代わりに、若しくは、その動作に加え、反対側から間隙１７を通して、手又は適当な治具による押し込み力（押圧力）を及ぼしたり、更に、中心筒体１６の半割筒体１６Ａ、１６Ｂで先端部を外側から強制的に締め付けたりして曲がりを矯正するようにしてもよい。
【００２４】
第１実施形態の取水部構造によると、枠体１２を構成する中心筒体１６が長手方向に１乃至複数個所で分割され、分割された複数の中心筒体１６間に取水管１０の先端部の曲がりを矯正する間隙１７が形成されているので、その間隙１７を通して、取水管１０の先端部に、その曲がりを矯正する方向の力を作用させることができる。その結果、取水管１０の先端部は、その曲がりが矯正され、枠体１２の中心筒体１６に対する傾斜がなくなってほぼ平行になるので、枠体１２を取水管１０に容易に取り付けることができ、取水部構造を組み立てる手数が減少して、取水部構造のコストダウンを図ることができる。
【００２５】
図６は本発明に係る取水管の取水部構造の第２実施形態を示すもので、（ａ）はその一部切開側面図、（ｂ）は（ａ）のＸ−Ｘ線矢視拡大断面図である。
【００２６】
本実施形態の取水部構造が第１実施形態のものと相違するところは、中心筒体１６が長手方向に１乃至複数個所で分割され、分割された複数の中心筒体１６間に取水管１０の曲がりを矯正する間隙１７が形成される代わりに、枠体１２を構成する１個の中心筒体１６の長手方向の１乃至複数個所に、取水管１０の先端部の曲がりを矯正する窓４０が形成されているところにある。
【００２７】
図示例では、中心筒体１６の長手方向に所定間隔を隔てた２個所において、それぞれ管壁の１８０度対向する部位に２個の円形状穴からなる窓４０が形成されている。なお、窓４０は、図示省略するが、楕円形状穴（長円形状穴を含む）、矩形状穴等からなるものでもよい。また、長手方向の１個所又は３個所以上の複数個所に、且つ、１個又は３個以上形成されるようにしてもよい。窓４０は中心筒体１６の許容強度が保持される範囲で多く形成される方が、取水管１０の先端部の種々の方向への曲がりに対する矯正が容易になり、矯正作業性が向上するので好ましい。
【００２８】
本実施形態の取水部構造を組み立てる際、取水管１０の先端部に曲がりが生じた場合には、取水管１０の曲がりが生じた先端部の周囲に、二分割された枠体１２の半割枠体１２Ａ、１２Ｂを、二分割された中心筒体１６の半割筒体１６Ａ、１６Ｂと取水管１０との間に、引張ワイヤ３８を通し得る環状隙間ができるように対向配置して枠体１２を仮合体する。次に、中心筒体１６に形成された窓４０に引張ワイヤ３８を通して、その先端部に結わえるか、掛け回す等して係留する。一方、取水管１０の引張ワイヤ３８の係留点よりも取水管先端寄り部分にも引張ワイヤ３９を結わえるか、掛け回す等して係留する。次いで、両引張ワイヤ３８、３９を互いに逆方向に引張って、両引張ワイヤ３８、３９の係留点間における取水管１０に、その先端部の曲がりを矯正する方向の偶力を作用させ、取水管１０の先端部の曲がりを矯正する。なお、その先端部を引張ワイヤ３８で引張る代わりに、若しくは、その動作に加え、反対側から間隙１７を通して、手又は適当な治具による押し込み力（押圧力）を及ぼしたり、更に、中心筒体１６の半割筒体１６Ａ、１６Ｂで先端部を外側から強制的に締め付けたりして、先端部の曲がりを矯正するようにしてもよい。その他の構成は第１実施形態のものと実質上同一なので説明を省略する。
【００２９】
第２実施形態の取水管の取水部構造によると、枠体１２を構成する中心筒体１６の長手方向の１乃至複数個所に、取水管１０の先端部の曲がりを矯正する窓４０が形成されているので、その窓４０を通して、取水管１０の先端部に、その曲がりを矯正する方向の力を作用させることができる。その結果、取水管１０の先端部は、その曲がりが矯正され、枠体１２の中心筒体１６に対する傾斜がなくなってほぼ平行になるので、枠体１２を取水管１０に容易に取り付けることができ、取水部構造を組み立てる手数が減少して、取水部構造のコストダウンを図ることができる。
【図面の簡単な説明】
【００３０】
【図１】本発明に係る取水管の取水部構造の第１実施形態を示す一部切開側面図である。
【図２】図１の取水部構造の正面図である。
【図３】図１の取水部構造において、枠体を取水管に取り付ける前の状態を示す正面図である。
【図４】図１の取水部構造において、枠体を取水管の先端部に取り付けた状態の先端寄りの部分を拡大して示す一部切開側面図である。
【図５】図１の取水部構造において、取水管の先端部の曲がりを矯正する方法の一例を示す概要図である。
【図６】本発明に係る取水管の取水部構造の第２実施形態を示すもので、（ａ）はその一部切開側面図、（ｂ）は（ａ）のＸ−Ｘ線矢視拡大断面図である。
【図７】従来の取水管の取水部構造を示す一部切開側面図である。
【図８】図７の取水部構造の正面図である。
【図９】図７の取水部構造において、枠体を取水管に取り付ける前の状態を示す正面図である。
【図１０】図７の取水部構造において、枠体を取水管の先端部に取り付ける際、取水管の先端部が傾斜した状態を拡大して示す一部切開側面図である。
【符号の説明】
【００３１】
１０    取水管
１０ａ  取水口
１２    枠体
１２Ａ  半割枠体
１２Ｂ  半割枠体
１４    水底
１６    中心筒体
１６Ａ  半割筒体
１６Ｂ  半割筒体
１７    間隙
１８    囲い枠
２０    フランジ
２２    硬質ポリエチレン管
２４    鉄線
２５    端末金具
２６    締付け金具
２８    パッキン受け金具
３０    パッキン
３２    パッキン押え金具
３４    締付け部材
３６    吊り金具
３８    引張ワイヤ
３９    引張ワイヤ
４０    窓
【図１】
2006316518.tif 000003
【図２】
2006316518.tif 000004
【図３】
2006316518.tif 000005
【図４】
2006316518.tif 000006
【図５】
2006316518.tif 000007
【図６】
2006316518.tif 000008
【図７】
2006316518.tif 000009
【図８】
2006316518.tif 000010
【図９】
2006316518.tif 000011
【図１０】
2006316518.tif 000012